(57)【要約】【課題】不必要な物品の払い出しを極力抑えることができ、さらに、この払い出しに必要な操作を簡便に実施できる物品払出装置を提供すること。【解決手段】物品払出装置１は、所定の条件が成立すると操作可能となるハンドル１０６と、ハンドル１０６を操作すると収容部７０に収容されている複数の物品Ｃのうちの少なくとも１つの物品Ｃが払い出されるドラム機構２００とを備えている。また、物品払出装置１は、ドラム機構２００から仮払いされ、仮払い状態に保持された物品Ｃを収容部７０に戻して所定の条件を再度に成立させるか否かを抽選可能な抽選機構４０とを備えている。抽選機構４０による抽選は、仮払い状態に保持された物品Ｃをレバー４０６の操作によって持ち上げて行われる。【選択図】図４
2014219806.tif 000002
【特許請求の範囲】
【請求項１】
所定の条件が成立すると操作可能となるハンドルと、
ハンドルを操作すると収容部に収容されている複数の物品のうちの少なくとも１つの物品が払い出されるドラム機構と、を備えた物品払出装置であって、
ドラム機構から仮払いされ、仮払い状態に保持された物品を収容部に戻す途中に所定の条件を再度に成立させるか否かを抽選可能な抽選機構と、を備えており、
抽選機構による抽選は、仮払い状態に保持された物品をレバーの操作によって持ち上げて行われることを特徴とする物品払出装置。
【発明の詳細な説明】
【技術分野】
【０００１】
本発明は、物品払出装置に関し、詳しくは、ハンドルを操作すると収容部に収容されている複数の物品のうちの少なくとも１つの物品を払い出すことができる物品払出装置に関する。
【背景技術】
【０００２】
従来より、ハンドルを操作すると収容部に収容されている複数の物品のうちの少なくとも１つの物品を払い出すことができる物品払出装置が既に知られている。このような物品払出装置は、いわゆる、ガチャガチャと呼ばれており、物品として、小さな菓子や小さな玩具等の景品が入ったカプセルが採用されている。ここで、下記特許文献１には、硬貨を投入しなければハンドルを操作することができないタイプの物品払出装置が開示されている。これにより、物品の販売を無人でも行うことができるため、販売の収益性を高めることができる。
【先行技術文献】
【特許文献】
【０００３】
【特許文献１】特開平８−２１２４３８号公報
【発明の概要】
【発明が解決しようとする課題】
【０００４】
しかしながら、上述した特許文献１の技術では、景品に複数の種類が存在していても、購入者は、自身が欲しい種類の景品を選ぶことができなかった。例えば、菓子が入っているカプセルや玩具が入っているカプセルが存在していても、購入者は、菓子が入っているカプセルを選ぶことができなかった。そのため、不必要な景品を払い出してしまう（購入してしまう）ことがあった。
【０００５】
本発明は、このような課題を解決しようとするもので、その目的は、不必要な物品の払い出しを極力抑えることができ、さらに、この払い出しに必要な操作を簡便に実施できる物品払出装置を提供することである。
【課題を解決するための手段】
【０００６】
本発明は、上記の目的を達成するためのものであって、以下のように構成されている。
請求項１に記載の発明は、所定の条件が成立すると操作可能となるハンドルと、ハンドルを操作すると収容部に収容されている複数の物品のうちの少なくとも１つの物品が払い出されるドラム機構と、を備えた物品払出装置であって、ドラム機構から仮払いされ、仮払い状態に保持された物品を収容部に戻す途中に所定の条件を再度に成立させるか否かを抽選可能な抽選機構と、を備えており、抽選機構による抽選は、仮払い状態に保持された物品をレバーの操作によって持ち上げて行われることを特徴とする構成である。
この構成によれば、物品は、物品払出装置から払い出される（本払いされる）前に、一旦、仮払いされた状態となる。そして、仮払いされた物品が欲しい商品であれば、そのまま、物品を払い出すことができる（本払いできる）。一方、仮払いされた物品の商品が欲しくない商品であれば、抽選に進むことができ、この抽選に当たれば、再度、別の物品を仮払いできる。したがって、欲しい商品の物品が仮払いされるまで、物品の払い出しを繰り返すことができるため、欲しくない商品の物品の払い出しを極力抑えることができる。もちろん、抽選に外れると、仮払いされた物品は、そのまま、払い出される（本払いされる）。また、この構成によれば、物品を打ち上げ、この打ち上げた物品の落下を利用して抽選を行っている。このとき、物品の打ち上げは、レバーの操作によって行われている。そのため、レバーの操作といった簡便な操作で、払い出しに必要な操作を行うことができる。
【図面の簡単な説明】
【０００７】
【図１】本発明の実施例に係る物品払出装置の全体斜視図である。
【図２】図１を背面側から見た斜視図である。
【図３】図１の内部の側面図である。
【図４】図１の分解斜視図である。
【図５】図４の遊技パネルの拡大図である。
【図６】図５の遊技パネルの動作を説明する図であり、カプセルが送られてきた状態を示す図である。
【図７】図６において、カプセルが抽選されている状態を示す図である。
【図８】図７において、抽選が当たった状態を示す図である。
【図９】図７において、抽選が外れた状態を示す図である。
【図１０】図４のハンドル機構の拡大図であり、ハンドルを組み付けた状態を示す図である。
【図１１】図１０を左右逆側から見た斜視図である。
【図１２】図１１のハンドル機構の動作を説明する図であり、コインが投入される前の状態を示す図である。
【図１３】図１２において、コインが投入された状態を示す図である。
【図１４】図１３において、ハンドルを操作している途中状態を示す図である。
【図１５】図１４において、ハンドルの操作が完了した状態を示す図である。
【図１６】図４のドラム機構の拡大図である。
【図１７】図１６を背面側から見た斜視図である。
【図１８】図１７のドラム機構の動作を説明する図であり、カプセルが搬送されてきた状態を示す図である。
【図１９】図１８において、ハンドルを操作している途中状態を示す図である。
【図２０】図１９において、ハンドルの操作が完了した状態を示す図である。
【図２１】図４の選択機構の拡大図である。
【図２２】図２１の分解斜視図である。
【図２３】図２２の選択機構の動作を説明する図であり、カプセルが送られてきた状態を示す図である。
【図２４】図２３を左右逆側から見た斜視図である。
【図２５】図２３において、カプセル払出ボタンが押された状態を示す図である。
【図２６】図２４において、カプセル取替ボタンが押された状態を示す図である。
【図２７】図４の打ち上げ機構の拡大図である。
【図２８】図２７を左右逆側から見た斜視図である。
【図２９】図２８の分解斜視図である。
【図３０】図２７の打ち上げ機構の動作を説明する図であり、カプセルが送られてきている途中状態を示す図である。
【図３１】図３０を左右逆側から見た斜視図である。
【図３２】図３０において、カプセルが送られてきた状態を示す図である。
【図３３】図３２を左右逆側から見た斜視図である。
【図３４】図３２において、レバーを操作している状態を示す図である。
【図３５】図３４を左右逆側から見た斜視図である。
【図３６】図３４において、カプセルが打ち上げられている途中状態を示す図である。
【図３７】図３６を左右逆側から見た斜視図である。
【図３８】図３７において、カプセルの打ち上げが完了した状態を示す図である。
【図３９】図３８を左右逆側から見た斜視図である。
【図４０】図４のリプレイ機構の拡大図である。
【図４１】図４０を背面側から見た斜視図である。
【図４２】図４０を左右逆側から見た斜視図である。
【図４３】図４２のリプレイ機構の動作を説明する図であり、カプセルが送られてきた状態を示す図である。
【図４４】図４３において、ハンドルを操作している途中状態を示す図である。
【図４５】図４４において、ハンドルの操作が完了した状態を示す図である。
【図４６】図１の物品払出装置の動作を説明するフロー図である。
【発明を実施するための形態】
【０００８】
以下、本発明を実施するための形態を、図１〜４６を用いて説明する。まず、図１〜４を参照して、本発明の実施例に係る物品払出装置１の全体構成を説明する。なお、この物品払出装置１から払い出される物品として、小さな菓子や小さな玩具等の景品が少なくとも１つ入った透明なカプセルＣを例に説明することとする。なお、後述する物品払出装置１の動作の説明において、このカプセルＣは複数存在しており、景品も複数の種類が存在することとする。
【０００９】
この物品払出装置１は、主として、その本体の上下左右前後の６面を覆う本体カバー（ベースカバー１０、フロントカバー２０、リアサイドカバー６０、アッパカバー８０）と、この本体カバーの内部に組み付けられる各種機構（ハンドル機構１００、ドラム機構２００、選択機構３００、打ち上げ機構４００、リプレイ機構５００）とから構成されている。以下に、これら本体カバーと、各種機構とを個別に説明していく。
【００１０】
まず、本体カバーから説明していく。本体カバーは、既に説明したように、ベースカバー１０、フロントカバー２０、リアサイドカバー６０、アッパカバー８０とから構成されている。ベースカバー１０は、物品払出装置１の下面を覆うカバーである。また、フロントカバー２０は、アンダーパネル３０と、遊技パネル４０とから構成され、物品払出装置１の正面を覆うカバーである。
【００１１】
アンダーパネル３０には、カプセル払出口３２が形成されている。このカプセル払出口３２は、後述するシーソー３０８の前側の下部と連通している。そのため、後述するカプセル払出ボタン３１４を押すと、シーソー３０８に載ったカプセルＣをカプセル払出口３２から払い出すことができる。なお、後述するシーソー３０８の後側の下部は、後述する打ち上げ機構４００のダクト４０４の受入口４０４ａと連通している。
【００１２】
遊技パネル４０には、後述する打ち上げ機構４００のダクト４０４の払出口４０４ｂと連通する受入口４０ａと、受入口４０ａから受け入れたカプセルＣが振り分けられる遊技面４０ｂとが形成されている（図５参照）。この受入口４０ａは、後述するダクト４０４の払出口４０４ｂと連通している。この遊技面４０ｂには、切欠４２ａを有するステージ４２と、ステージ４２の下に位置する複数（この例では、５本）の調整釘４４と、調整釘４４の下に位置するセンターポケット４６と、センターポケット４６の左右に位置するサイドポケット４８、４８とが形成されている。
【００１３】
また、この遊技面４０ｂは、透明なカバーである表面カバー５０によって覆われている。なお、センターポケット４６は、後述するリプレイ機構５００の案内ダクト５０４に連通している。また、左右のサイドポケット４８、４８は、これら左右のサイドポケット４８、４８の真下に形成されているカプセル払出口４８ａ、４８ａと連通している。
【００１４】
これにより、左右のサイドポケット４８、４８に入り込んだカプセルＣを払い出すことができる（カプセルＣを手に取ることができる）。また、調整釘４４は、遊技面４０ｂに対する差し込み角度を調整可能となっている。ここで、調整釘４４の調整方法を説明する。調整釘４４は、その基端側に一体を成すように形成されているネジ（図示しない）に対して僅かに傾いた状態となるように形成されている。
【００１５】
そして、この調整釘４４は、そのネジが遊技面４０ｂを貫通する格好となるようにネジによって遊技面４０ｂに螺合されている。そのため、このネジの回転位置を遊技面４０ｂの背面側から調整することにより、遊技面４０ｂに対する調整釘４４の傾きを調整できる。このように調整釘４４の傾きを調整できると、カプセルＣがセンターポケット４６または左右のサイドポケット４８、４８のいずれかに入り込む確率を任意に調整できる。フロントカバー２０は、このように構成されている。
【００１６】
次に、図６〜９を参照して、フロントカバー２０の動作を説明する。図６に示すように、受入口４０ａから送り込まれてきたカプセルＣは、ステージ４２と複数の調整釘４４とを介して振り分けられた後に（図７参照）、センターポケット４６または左右のサイドポケット４８、４８のいずれかに入り込むこととなる（図８〜９参照）。なお、図８に示すように、カプセルＣがセンターポケット４６に入り込むと抽選が当たった状態となる。このように当たった状態となることが、特許請求の範囲に記載の「所定の条件の成立」に相当する。
【００１７】
これとは逆に、図９に示すように、カプセルＣが左右のサイドポケット４８、４８のいずれかに入り込むと抽選が外れた状態となる。このようにカプセルＣが左右のサイドポケット４８、４８のいずれかに入り込むと、その真下に形成されているカプセル払出口４８ａからカプセルＣは払い出される。
【００１８】
また、リアサイドカバー６０は、物品払出装置１の左右の側面と後面とを覆うカバーである（図４参照）。このリアサイドカバー６０の内部には、案内板７２を有するカプセル収容カバー７０が組み付けられている。このカプセル収容カバー７０により、物品払出装置１の内部に複数のカプセルＣを収容できる。この記載が、特許請求の範囲に記載の「収容部」に相当する。また、この案内板７２により、後述するドラム機構２００の縦回転ドラム２０４の下側に位置する払出口２０４ｂに向けてカプセルＣを案内できる。
【００１９】
また、アッパカバー８０は、物品払出装置１の上面を覆うカバーである。本体カバーは、これらベースカバー１０、フロントカバー２０、リアサイドカバー６０、アッパカバー８０とから内部に空間を有するように構成されている。
【００２０】
次に、各種機構（ハンドル機構１００、ドラム機構２００、選択機構３００、打ち上げ機構４００、リプレイ機構５００）を説明する。まず、図１０〜１５を参照して、ハンドル機構１００から説明する。ハンドル機構１００は、図１０〜１１に示すように、主として、ベースカバー１０に固着されたベース１０２と、このベース１０２に枢着された（回転可能に組み付けられた）ハンドルロッド１０４と、このハンドルロッド１０４の前端に固着されたハンドル１０６と、このハンドルロッド１０４の後端に固着された連結ピン１０８とから構成されている。
【００２１】
連結ピン１０８には、周面に複数の係合歯１１０ａを有するラチェット１１０が固着されている。また、ベース１０２には、このラチェット１１０の係合歯１１０ａに係合可能なブラケット１１２が枢着されている。これにより、ハンドル１０６の回転方向が一方向（図１４において、矢印方向）となるように規制できる。また、ハンドルロッド１０４には、切欠溝１１４ａを有するリング１１４が固着されている。
【００２２】
また、ベース１０２には、この切欠溝１１４ａに嵌合可能なストッパ１１６が枢着されている。このストッパ１１６は、常時、その先端１１６ａが切欠溝１１４ａに嵌合する方向に付勢されている。そのため、ハンドル１０６が初期状態にあると、ストッパ１１６の先端１１６ａがリング１１４の切欠溝１１４ａに嵌合した状態となっている。
【００２３】
これにより、常時、ハンドル１０６の操作が規制された状態（ハンドル１０６のロック状態）となっている。また、このストッパ１１６には、後述するリプレイ機構５００のラック５０８の切欠５０８ａが嵌まり込んだ状態となっている。ハンドル機構１００は、このように構成されている。
【００２４】
次に、ハンドル機構１００の動作を説明する。図１２に示すように、ベース１０２に形成されているコイン投入口１０２ａに所定のコインＭを投入すると、この投入したコインＭの自重によってストッパ１１６が自身に作用する付勢力に抗して回動する（図１３参照）。このようにコインＭを投入することが、特許請求の範囲に記載の「所定の条件の成立」に相当する。これにより、リング１１４の切欠溝１１４ａからストッパ１１６の先端１１６ａの嵌合が脱落するため、ハンドル１０６のロック解除状態となる。
【００２５】
このようにロック解除状態になるとハンドル１０６を回転させることができる（図１４参照）。なお、既に説明したように、ストッパ１１６は、常時、その先端１１６ａが切欠溝１１４ａに嵌合する方向に付勢されているため、ハンドル１０６を一回転させると、ハンドル１０６はロック状態に戻される（図１５参照）。
【００２６】
次に、図１６〜２０を参照して、ドラム機構２００を説明する。ドラム機構２００は、図１６〜１７に示すように、主として、ベースカバー１０に固着されたベース２０２と、このベース２０２に枢着された縦回転ドラム２０４とから構成されている。ベース２０２には、複数のギヤから成る連動ギヤ群２０６が枢着されている。この連動ギヤ群２０６のギヤの１つ（図１６において、連動ギヤ群２０６における複数のギヤのうちの一番大きなギヤ）は、ハンドル機構１００の連結ピン１０８と固着されている。
【００２７】
また、この連動ギヤ群２０６における複数のギヤの他の１つのギヤは、後述する縦回転ドラム２０４のギヤ２０４ａに噛み合った状態となっている。また、縦回転ドラム２０４の外周面には、ギヤ２０４ａが形成されている。これらギヤ２０４ａと連動ギヤ群２０６とのギヤ比は、ハンドル１０６を一回転させると、縦回転ドラム２０４が半回転するように設定されている。
【００２８】
また、縦回転ドラム２０４には、カプセル収容カバー７０からのカプセルＣの受け入れと、この受け入れたカプセルＣの払い出しを兼ねる貫通孔２０４ｂ、２０４ｂが２つ形成されている。なお、この貫通孔２０４ｂは、縦回転ドラム２０４の下端に到達したとき、カプセル収容カバー７０からカプセルＣを受け入れ可能となっており、縦回転ドラム２０４の上端（アナログ時計の針における１２時の位置）に到達したとき、カプセルＣを払い出し可能となっている。
【００２９】
なお、この貫通孔２０４ｂが縦回転ドラム２０４の上端に到達すると、後述する選択機構３００のシーソー３０８と連通することとなる。これら２つの貫通孔２０４ｂは、図１７からも明らかなように、縦回転ドラム２０４の回転軸の軸対称となるように形成されている。なお、縦回転ドラム２０４の枢着方向は、前後方向を軸方向とする軸回りに回転可能な方向となっている。ドラム機構２００は、このように構成されている。
【００３０】
次に、ドラム機構２００の動作を説明する。図１８に示すように、縦回転ドラム２０４は、その貫通孔２０４ｂが縦回転ドラム２０４の下端に位置するように回動すると、この下端に位置した貫通孔２０４ｂにカプセル収容カバー７０の案内板７２（図１８において、図示しない）からカプセルＣが送り込まれることとなる。この状態からハンドル１０６を回転させていくと、ギヤ２０４ａおよび連動ギヤ群２０６を介して縦回転ドラム２０４も回動していく（図１９参照）。
【００３１】
そして、ハンドル１０６を一回転させると、既に説明したように、縦回転ドラム２０４も半回転することとなる（図２０参照）。これにより、カプセルＣが案内された貫通孔２０４ｂは縦回転ドラム２０４の上端に到達する。したがって、このカプセルＣは、その自重により後述する選択機構３００のシーソー３０８に載せられるように転がっていく。
【００３２】
次に、図２１〜２６を参照して、選択機構３００を説明する。選択機構３００は、図２１〜２２に示すように、主として、ドラム機構２００のベース２０２に固着されたベース３０２と、このベース３０２の前側に固着されたフロントカバー３０４と、これらベース３０２とフロントカバー３０４との上側に固着され透明なカバーであるアッパカバー３０６と、このフロントカバー３０４の内面を橋渡すように枢着されたシーソー３０８とから構成されている。
【００３３】
ベース３０２には、回転軸３０２ａを介して第１のギヤ３０２ｂと、この第１のギヤ３０２ｂに固着された第２のギヤ３０２ｃとが枢着されている。なお、これら両ギヤ３０２ｂ、３０２ｃは、トーションばね（図示しない）を介してベース３０２に組み付けられている。フロントカバー３０４には、その上下に上開口３０４ａ、下開口３０４ｂが形成されている。
【００３４】
この上開口３０４ａには、カプセル取替ボタン３１２が挿し込まれた状態で組み付けられている。このカプセル取替ボタン３１２には、後述するシーソー３０８のピン３０８ｃを押し当て可能なアーム３１２ａが形成されている。一方、下開口３０４ｂには、カプセル払出ボタン３１４が挿し込まれた状態で組み付けられている。このカプセル払出ボタン３１４には、第１のギヤ３０２ｂに噛み合い可能なラック３１４ｂを有するアーム３１４ａが形成されている。
【００３５】
また、シーソー３０８の回転軸を成す枢着軸３０８ａの外周面には、第２のギヤ３０２ｃに噛み合い可能なギヤ３０８ｂが形成されている。また、シーソー３０８の後側の上面（カプセルＣの載置面）は、端部に向けて登り傾斜を成す傾斜面３０８ｄが形成されている。この傾斜面３０８ｄは、その長手方向がシーソー３０８の短手方向より後側を向くように形成されている。なお、シーソー３０８の後側の下面とベース３０２との間には圧縮ばね（図示しない）が配置されている。選択機構３００は、このように構成されている。
【００３６】
次に、選択機構３００の動作を説明する。図２３〜２４に示すように、ドラム機構２００の縦回転ドラム２０４の貫通孔２０４ｂから転がってきたカプセルＣは、シーソー３０８に載せられた状態に保持される。この状態になると、保持されたカプセルＣの中の景品をアッパカバー３０６（図２３〜２４において、アッパカバー３０６を図示しない）を介して確認できる。
【００３７】
この図２３〜２４に示す状態から、カプセル払出ボタン３１４を押すと、この押し込みに伴ってラック３１４ｂを介して第１のギヤ３０２ｂと共に第２のギヤ３０２ｃが回動する。これにより、シーソー３０８のギヤ３０８ｂも回動するため、シーソー３０８も前側に向けて回動していく（図２５参照）。したがって、シーソー３０８に載ったカプセルＣをアンダーパネル３０のカプセル払出口３２から払い出すことができる。なお、カプセル払出ボタン３１４の押し込みを解消すると、トーションばねの付勢力によりシーソー３０８は回動前の状態に戻される。
【００３８】
これとは逆に、この図２３〜２４に示す状態から、カプセル取替ボタン３１２を押すと、この押し込みに伴ってアーム３１２ａがシーソー３０８のピン３０８ｃを押し込んでいく。これにより、ピン３０８ｃがシーソー３０８の枢着軸３０８ａの軸周りに回動するため、シーソー３０８も後側に向けて回動していく。
【００３９】
したがって、シーソー３０８に載ったカプセルＣを後述する打ち上げ機構４００のダクト４０４の受入口４０４ａ（図２６において、いずれも図示しない）に送り込むことができる（図２６参照）。このとき、シーソー３０８に載ったカプセルＣは、シーソー３０８の上面を後側に向けて転がっていく。しかし、シーソー３０８の傾斜面３０８ｄにより、この転がりは、やがて規制されるため、以降、このカプセルＣは、右斜め後側に向けて転がっていき、打ち上げ機構４００のダクト４０４の受入口４０４ａに送り込まれる。なお、カプセル取替ボタン３１２の押し込みを解消すると、圧縮ばねの付勢力によりシーソー３０８は回動前の状態に戻される。
【００４０】
次に、図２７〜３９を参照して、打ち上げ機構４００を説明する。打ち上げ機構４００は、図２７〜２９に示すように、主として、ベースカバー１０に固着されたベース４０２と、このベース４０２の内側に固着されたダクト４０４と、このベース４０２に枢着されたレバー４０６とから構成されている。
【００４１】
ベース４０２には、略Ｃ字を成すカム面４０８ａを有するカム部材４０８が形成されている。このカム部材４０８は、そのカム面４０８ａと後述するショートアーム４１０の枢着軸４１０ａとの間の距離が上側から下側に向かって徐々に短くなるように形成されている。また、このカム部材４０８には、枢着軸４１０ａを介してショートアーム４１０が枢着されている。
【００４２】
このショートアーム４１０の外周面の一部には、ギヤ４１０ｂが形成されている。また、このショートアーム４１０の裏面（ベース４０２と対向する面）には、ショートアーム４１０の半径方向に沿って切欠溝４１０ｃが形成されている。この切欠溝４１０ｃには、圧縮ばね４１４を介してスライダ４１２が組み付けられている。これにより、常時、スライダ４１２の先端４１２ａをカム部材４０８のカム面４０８ａに向けて付勢できる。
【００４３】
また、この切欠溝４１０ｃには、その長手方向に沿って長孔４１０ｄが形成されている。これにより、スライダ４１２に形成されている突起４１２ｂを後述するロングアーム４１６の長孔（第１の長孔４１６ａ、第２の長孔４１６ｂ）に挿し込むことができる。また、このカム部材４０８には、枢着軸４１０ａを介してロングアーム４１６が枢着されている。
【００４４】
すなわち、このカム部材４０８には、ショートアーム４１０とロングアーム４１６とが同一の枢着軸４１０ａを介して枢着されている。このロングアーム４１６には、ショートアーム４１０の長孔４１０ｄに対応する格好を成す第１の長孔４１６ａと、その半径方向に沿って第２の長孔４１６ｂとが形成されている。なお、このロングアーム４１６の先端と後述するダクト４０４の上側との間には、ピン４１８ａを介して引っ張りばね４１８が掛け止めされている。
【００４５】
また、ダクト４０４は、一方側にカプセルＣを受け入れ可能な受入口４０４ａが形成され、他方側にカプセルＣを払い出し可能な払出口４０４ｂが形成された略Ｃ字を成す筒状に構成されている。また、ダクト４０４の内部には、受入口４０４ａから受け入れたカプセルＣを払出口４０４ｂに向けて打ち上げる打ち上げ台４２２がガイド棒４０４ｄに沿って昇降可能に組み付けられている。
【００４６】
この打ち上げ台４２２は、ダクト４０４に形成されている長孔４０４ｃを介してピン４１８ａに固着されている。また、ダクト４０４の内部における打ち上げ台４２２の上流側には、カプセル送りアーム４２０が枢着されている。このカプセル送りアーム４２０には、打ち上げ台４２２が下降してくると、下降した打ち上げ台４２２が干渉する動作片４２０ａが形成されている。
【００４７】
この干渉により、カプセル送りアーム４２０が半回転するため、カプセル送りアーム４２０に載せられているカプセルＣが打ち上げ台４２２に載せられる。なお、受入口４０４ａから受け入れられたカプセルＣは、その自重によってカプセル送りアーム４２０に載せられるように転がっていく。
【００４８】
また、レバー４０６は、ベース４０２に固着された架台４２４に枢着されている。このレバー４０６には、ショートアーム４１０のギヤ４１０ｂに噛み合い可能なピニオンギヤ４０６ａが固着されている。なお、このレバー４０６は、購入者が操作すると、この操作が行われる前の状態にもどるように引っ張りばね４０６ｂを介して架台４２４に枢着されている。打ち上げ機構４００は、このように構成されている。
【００４９】
次に、打ち上げ機構４００の動作を説明する。図３０〜３１に示すように、ダクト４０４の受入口４０４ａにカプセルＣが送り込まれてくると、この送り込まれたカプセルＣは、その自重によって転がっていきカプセル送りアーム４２０に載せられる（図３２〜３３参照）。
【００５０】
この状態から、レバー４０６を操作すると（レバー４０６を押し下げると）、両ギヤ４０６ａ、４１０ｂを介してショートアーム４１０が下方に向けて回動する。したがって、スライダ４１２の突起４１２ｂを介して引っ張りばね４１８の付勢力に抗してロングアーム４１６もショートアーム４１０と共に下方に向けて回動する。このとき、スライダ４１２は、その先端４１２ａがカム部材４０８のカム面４０８ａに徐々に押し戻されている。
【００５１】
また、このとき、打ち上げ台４２２も徐々に下降している。やがて、レバー４０６の操作が完了すると（レバー４０６を完全に押し下げると）、ロングアーム４１６に連れられて下降してきた打ち上げ台４２２がカプセル送りアーム４２０の動作片４２０ａに干渉するため、既に説明したように、カプセル送りアーム４２０に載せられているカプセルＣは打ち上げ台４２２に載せられる（図３４〜３５参照）。
【００５２】
この直後に、スライダ４１２の突起４１２ｂは、ロングアーム４１６の第１の長孔４１６ａの基端（第１の長孔４１６ａのうち、第２の長孔４１６ｂとの接合部）に到達するため、ロングアーム４１６はショートアーム４１０と共に引っ張りばね４１８の付勢力によって回動前の状態へと戻される。これにより、打ち上げ台４２２は上昇するため、カプセルＣはダクト４０４の内部で打ち上げられる（図３６〜３７参照）。したがって、打ち上げられたカプセルＣは、ダクト４０４の払出口４０４ｂから払い出される（図３８〜３９参照）。
【００５３】
最後に、図４０〜４５を参照して、リプレイ機構５００を説明する。リプレイ機構５００は、図４０〜４２に示すように、主として、ハンドル機構１００のベース１０２に固着されたベース５０２と、このベース５０２に固着された案内ダクト５０４とから構成されている。
【００５４】
ベース５０２には、後述する案内ダクト５０４のクランク部５０４ａに位置するように略Ｌ字状を成すテコ５０４ｂがばね（図示しない）を介して枢着されている。このテコ５０４ｂは、クランク部５０４ａにカプセルＣが留まると作動する（押し下げられる）ように構成されている。また、ベース５０２には、テコ５０４ｂに連結したピニオンギヤ５０６が枢着されていると共に、このピニオンギヤ５０６に噛み合うラック５０８が引っ張りばね５１０を介して組み付けられている。
【００５５】
このラック５０８の下端には、ハンドル機構１００のストッパ１１６のロック解除ピン１１６ｂに係合する切欠５０８ａが形成されている。また、ベース５０２には、後述する案内ダクト５０４のクランク部５０４ａに位置するように送り出しバー５１２が組み付けられている。この送り出しバー５１２に形成されているギヤ５１２ａは、補助ベース５０２ａに組み付けられている複数のギヤから成る連動ギヤ群５１４を介してドラム機構２００の縦回転ドラム２０４のギヤ２０４ａに連結している。これにより、縦回転ドラム２０４が作動すると、このクランク部５０４ａに留まったカプセルＣを払い出すことができる。
【００５６】
また、案内ダクト５０４は、遊技パネル４０のセンターポケット４６から送り込まれたカプセルＣをカプセル収容カバー７０に送り込み可能にダクト状に形成されている。この案内ダクト５０４は、その平面視において、クランク部５０４ａを有するように形成されている。このクランク部５０４ａは、僅かに凹んだ形状を成している。これにより、このクランク部５０４ａにて、センターポケット４６から送り込まれたカプセルＣを、一旦、留まらせることができる。リプレイ機構５００は、このように構成されている。
【００５７】
次に、リプレイ機構５００の動作を説明する。図４３〜４５に示すように、遊技パネル４０のセンターポケット４６から転がってきたカプセルＣは、一旦、案内ダクト５０４のクランク部５０４ａに留まることとなる。すると、カプセルＣの自重によりテコ５０４ｂが作動する。これにより、ピニオンギヤ５０６が回転するため、ラック５０８が引っ張りばね５１０の付勢力に抗して下方に向けて動いていく。そのため、動いたラック５０８によりハンドル機構１００のストッパ１１６のロック解除ピン１１６ｂが押し下げられる。すなわち、ストッパ１１６が自身に作用する付勢力に抗して回動する。これにより、コイン投入口１０２ａに所定のコインＭを投入した状態と同じ状態となる。したがって、ハンドル１０６がロック解除状態になる。
【００５８】
このようにロック解除状態になると、ハンドル１０６を操作できるため、このハンドル１０６の操作によりドラム機構２００の縦回転ドラム２０４が回転すると、この縦回転ドラム２０４のギヤ２０４ａにより連動ギヤ群５１４を介して送り出しバー５１２が作動する。したがって、クランク部５０４ａに留まっているカプセルＣを払い出すことができる。なお、払い出されたカプセルＣは、カプセル収容カバー７０に戻される。また、ハンドル１０６を一回転させると、既に説明したように、ハンドル１０６はロック状態に戻される。
【００５９】
続いて、図４６を参照して、上述した本体カバー（ベースカバー１０、フロントカバー２０、リアサイドカバー６０、アッパカバー８０）と、上述した各種機構（ハンドル機構１００、ドラム機構２００、選択機構３００、打ち上げ機構４００、リプレイ機構５００）とから構成されている物品払出装置１の一連の動作を説明する。
【００６０】
まず、コイン投入口１０２ａにコインＭを投入する操作を行う（Ｓ１）。すると、ハンドル１０６がロック状態からロック解除状態に切り替わるため、ハンドル１０６を回す操作を行う（Ｓ２）。これにより、縦回転ドラム２０４が回動するため、カプセル収容カバー７０に収容されているカプセルＣが縦回転ドラム２０４の払出口２０４ｂから払い出されてシーソー３０８に載せられる（Ｓ３）。
【００６１】
ここでの払い出しは、まだ、仮払いである。すなわち、ここでの払い出しは、購入者がカプセルＣを手に取ることができない状態の払い出しである。したがって、アッパカバー３０６を介してカプセルＣの中の景品を確認できる（Ｓ４）。次に、確認したカプセルＣの景品が欲しい景品であるか否かを判断する（Ｓ５）。このＳ５において、確認した景品が欲しい景品であれば（ＹＥＳの場合）、カプセル払出ボタン３１４を押す操作を行う（Ｓ６）。
【００６２】
すると、シーソー３０８が前側に向けて作動するため、シーソー３０８に載せられているカプセルＣはアンダーパネル３０のカプセル払出口３２から払い出されて（Ｓ７）ステップが終了する。ここでの払い出しは、本払いである。すなわち、ここでの払い出しは、購入者がカプセルＣを手に取ることができる状態の払い出しである。
【００６３】
一方、Ｓ５において、確認した景品が欲しくない景品であれば（ＮＯの場合）、カプセル取替ボタン３１２を押す操作を行う（Ｓ８）。すると、シーソー３０８が後側に向けて作動するため、シーソー３０８に載せられているカプセルＣはダクト４０４の受入口４０４ａを介してカプセル送りアーム４２０に載せられるように移動して（転がって）いく（Ｓ９）。次に、レバー４０６を押し下げる操作を行う（Ｓ１０）。
【００６４】
すると、カプセルＣが打ち上げられる（Ｓ１１）。打ち上げられたカプセルＣは、遊技パネル４０の受入口４０ａからステージ４２と複数の調整釘４４とを介して振り分けられる（Ｓ１２）。この振り分けられた後に、カプセルＣはセンターポケット４６または左右のサイドポケット４８、４８のいずれかに入り込む（Ｓ１３）。
【００６５】
このＳ１３において、カプセルＣが左右のサイドポケット４８、４８のいずれかに入り込むと（ＮＯの場合）、抽選が外れた状態となるため、カプセルＣは遊技パネル４０のカプセル払出口４８ａから払い出されて（Ｓ１４）ステップが終了する。ここでの払い出しは、本払いである。すなわち、ここでの払い出しは、購入者がカプセルＣを手に取ることができる状態の払い出しである。
【００６６】
一方、Ｓ１３において、カプセルＣがセンターポケット４６に入り込むと（ＹＥＳの場合）、抽選が当たった状態となるため、Ｓ２へと戻される。なお、センターポケット４６に入り込んだカプセルＣは、リプレイ機構５００を介してカプセル収容カバー７０へ戻される。以降、ステップが終了するまで、上記の各ステップを繰り返す。
【００６７】
本発明の実施例に係る物品払出装置１は、上述したように構成されている。この構成によれば、カプセルＣは、物品払出装置１から払い出される（本払いされる）前に、一旦、仮払いされた状態となる。そして、仮払いされたカプセルＣの景品が欲しい景品であれば、そのまま、カプセルＣを払い出すことができる（本払いできる）。一方、仮払いされたカプセルＣの景品が欲しくない景品であれば、抽選に進むことができ、この抽選に当たれば、再度、別のカプセルＣを仮払いできる。したがって、欲しい景品が入ったカプセルＣが仮払いされるまで、カプセルＣの払い出しを繰り返すことができるため、欲しくない景品が入ったカプセルＣの払い出しを極力抑えることができる。もちろん、抽選に外れると、仮払いされたカプセルＣは、そのまま、払い出される（本払いされる）。また、この抽選は、レバー４０６の操作等、人の手の介入の余地があるため、遊技性を高めることができる。また、この構成によれば、カプセルＣを打ち上げ、この打ち上げたカプセルＣを遊技パネル４０の遊技面４０ｂに沿った落下を利用して抽選を行っている。このとき、カプセルＣの打ち上げは、レバー４０６の操作によって行われている。そのため、レバー４０６の操作といった簡便な操作で、払い出しに必要な操作を行うことができる。
【００６８】
上述した内容は、あくまでも本発明の一実施の形態に関するものであって、本発明が上記内容に限定されることを意味するものではない。
実施例では、抽選は、遊技パネル４０による振り分けによってカプセルＣがセンターポケット４６または左右のサイドポケット４８、４８のいずれかに入り込むことによって行われる形態を説明した。しかし、これに限定されるものでなく、制御装置によって行っても構わない。
【００６９】
また、実施例では、物品がカプセルＣである形態を説明した。しかし、これに限定されるものでなく、各種の商品であっても構わない。また、実施例では、調整釘４４によって、カプセルＣがセンターポケット４６または左右のサイドポケット４８、４８のいずれかに入り込む確率を任意に調整できる形態を説明した。しかし、これに限定されるものでなく、調整釘４４に代わって、風車や案内板等によって実施しても構わない。
【符号の説明】
【００７０】
１      物品払出装置
４０    遊技パネル（抽選機構）
７０    カプセル収容カバー（収容部）
１０６  ハンドル
２００  ドラム機構
４０６  レバー
Ｃ      カプセル（物品）
【図１】
2014219806.tif 000003
【図２】
2014219806.tif 000004
【図３】
2014219806.tif 000005
【図４】
2014219806.tif 000006
【図５】
2014219806.tif 000007
【図６】
2014219806.tif 000008
【図７】
2014219806.tif 000009
【図８】
2014219806.tif 000010
【図９】
2014219806.tif 000011
【図１０】
2014219806.tif 000012
【図１１】
2014219806.tif 000013
【図１２】
2014219806.tif 000014
【図１３】
2014219806.tif 000015
【図１４】
2014219806.tif 000016
【図１５】
2014219806.tif 000017
【図１６】
2014219806.tif 000018
【図１７】
2014219806.tif 000019
【図１８】
2014219806.tif 000020
【図１９】
2014219806.tif 000021
【図２０】
2014219806.tif 000022
【図２１】
2014219806.tif 000023
【図２２】
2014219806.tif 000024
【図２３】
2014219806.tif 000025
【図２４】
2014219806.tif 000026
【図２５】
2014219806.tif 000027
【図２６】
2014219806.tif 000028
【図２７】
2014219806.tif 000029
【図２８】
2014219806.tif 000030
【図２９】
2014219806.tif 000031
【図３０】
2014219806.tif 000032
【図３１】
2014219806.tif 000033
【図３２】
2014219806.tif 000034
【図３３】
2014219806.tif 000035
【図３４】
2014219806.tif 000036
【図３５】
2014219806.tif 000037
【図３６】
2014219806.tif 000038
【図３７】
2014219806.tif 000039
【図３８】
2014219806.tif 000040
【図３９】
2014219806.tif 000041
【図４０】
2014219806.tif 000042
【図４１】
2014219806.tif 000043
【図４２】
2014219806.tif 000044
【図４３】
2014219806.tif 000045
【図４４】
2014219806.tif 000046
【図４５】
2014219806.tif 000047
【図４６】
2014219806.tif 000048